(57)【要約】【課題】操作性良くかつ消費電力の低減化を図った再生装置を提供する。【解決手段】再生装置１は、再生データを生成して送信する信号処理部１０と、再生データを受信して再生する再生部３０と、再生部３０に指示信号を入力するリモコン７０と、を備える。再生部３０は、信号処理部１０にロケータ信号を入力し、信号処理部１０はロケータ信号に基づいて動作を行う。特に、信号処理部１０はロケータ信号に基づいて動作用の電力供給の許否を制御する。【選択図】図１
2010263459.tif 000002
【特許請求の範囲】
【請求項１】
再生データを生成する信号処理部と、前記再生データを再生する再生部と、を備える再生装置において、
前記信号処理部から前記再生部に前記再生データを含む無線信号を無線送信する第１無線通信部と、
前記再生部及び前記信号処理部の一方から他方へ制御信号を無線送信する第２無線通信部と、を備え、
前記再生部または前記信号処理部が、受信した前記制御信号に基づいて動作することを特徴とする再生装置。
【請求項２】
前記信号処理部及び前記再生部の少なくとも一方の動作を指示する指示信号を無線送信する指示送信部をさらに備え、
前記再生部が、前記指示送信部から無線送信される前記指示信号を受信する受信部を備え、
前記第２無線通信部が、前記再生部から前記信号処理部に前記制御信号を無線送信するものであり、前記信号処理部が、受信した前記制御信号に基づいて動作することを特徴とする請求項１に記載の再生装置。
【請求項３】
前記再生部が、前記指示信号に基づいて動作用の電力供給の許否を制御し、前記信号処理部が、前記制御信号に基づいて動作用の電力供給の許否を制御することを特徴とする請求項２に記載の再生装置。
【請求項４】
前記指示送信部が、所定のパターンとなる前記制御信号を受信して報知動作を行う報知部を備えることを特徴とする請求項２または請求項３に記載の再生装置。
【請求項５】
前記第２無線通信部が通信不能となるときに、前記再生部が所定の再生動作を行うことを特徴とする請求項２〜請求項４のいずれかに記載の再生装置。
【請求項６】
前記再生部が、前記第２無線通信部を介して前記信号処理部に前記制御信号を送信した後、所定の時間が経過する前に前記信号処理部から前記第１無線通信部を介して所定の信号を受信できなかった場合に、前記第２無線通信部が通信不能であると判断することを特徴とする請求項５に記載の再生装置。
【発明の詳細な説明】
【技術分野】
【０００１】
本発明は、放送信号を受信するなどして再生データを生成し送信する信号処理部と再生データを受信して再生する再生部とを備えた再生装置に関する。
【背景技術】
【０００２】
近年、放送信号を受信するなどして映像や音声を再生する再生装置が広く普及している。このような再生装置として、取得した放送信号などの信号処理を行い再生すべきデータを得るＳＴＢ（Set Top Box）に代表される信号処理部と、信号処理部で得られたデータを再生するディスプレイ装置に代表される再生部と、を分離して備えるものがある。このような再生装置では、信号処理部と再生部との間の再生データの通信を、ＨＤＭＩ（High Definition Multimedia Interface）ケーブルや無線通信などによって行う。
【０００３】
また特に、信号処理部及び再生部に対する指示信号を送信可能な共通のリモコンを備えるとともに、リモコンが送信する指示信号を受信する受信部を再生部にのみ設けて、構成の簡略化と操作性の向上とを図った再生装置が提案されている（特許文献１参照）。
【０００４】
図７を参照して、上記従来の再生装置の構成について説明する。図７は、従来の再生装置の構成について示すブロック図である。図７に示すように、再生装置１００は、放送信号を受信して再生データを生成する信号処理部１１０と、信号処理部１１０から再生データを取得して再生する再生部１３０と、信号処理部１１０と再生部１３０とを接続するＨＤＭＩケーブル１５０と、再生部１３０に指示信号を入力するリモコン１７０と、を備える。
【０００５】
信号処理部１１０は、放送信号を受信する放送受信アンテナ１１１と、放送受信アンテナ１１１で受信された放送信号の選局や周波数変換などを行うチューナ１１２と、チューナ１１２で得られる信号を復調及び復号化して再生データを生成するデコーダ１１３と、デコーダ１１３で生成される再生データをＨＤＭＩケーブル１５０を介して再生部１３０に送信するＨＤＭＩ送信部１１４と、デコーダ１１３で生成される再生データを符号化及び変調して無線信号を生成する信号処理部無線通信部１１５と、信号処理部無線通信部１１５で生成される無線信号を送信する信号処理部アンテナ１１６と、信号処理部１１０の動作を制御する信号処理部制御部１１７と、信号処理部１１０の動作用の電力供給の許否（ＯＮまたはＯＦＦ）についてのユーザの指示が入力される電力供給操作部１１８と、信号処理部制御部１１７に制御されて信号処理部１１０の動作用の電力供給を行う信号処理部電力供給部１１９と、を備える。
【０００６】
また、再生部１３０は、ＨＤＭＩケーブル１５０を介して送信された再生データを受信するＨＤＭＩ受信部１３１と、信号処理部アンテナ１１６から送信される無線信号を受信する再生部アンテナ１３２と、再生部アンテナ１３２で受信した無線信号を復調及び復号化して再生データを生成する再生部無線通信部１３３と、再生部１３０の動作を制御する再生部制御部１３４と、再生部制御部１３４に制御されるとともにＨＤＭＩ受信部１３１及び再生部無線通信部１３３のいずれかから出力される再生データを選択して出力するセレクタ１３５と、再生部制御部１３４の指示に基づいてＯＳＤ（On Screen Display）データを生成するＯＳＤデータ生成部１３６と、セレクタ１３５から出力される再生データに含まれる映像データの大きさを調整したりＯＳＤデータ生成部１３６から出力されるＯＳＤデータを映像データに重畳したりする表示調整部１３７と、表示調整部１３７から出力される映像データを表示する表示パネル１３８と、リモコン１７０が出力する指示信号を受信して再生部制御部１３４に出力するリモコン受信部１３９と、再生部制御部１３４に制御されて再生部１３０の動作用の電力供給を行う再生部電力供給部１４０と、を備える。
【０００７】
信号処理部１１０及び再生部１３０がＨＤＭＩケーブル１５０で接続されている場合、再生部制御部１３４がＨＤＭＩケーブル１５０を介してＣＥＣ（Consumer Electronics Control）信号を信号処理部１１０に入力することによって、リモコン１７０から再生部１３０に入力された指示を信号処理部１１０に伝達することができる。これにより例えば、リモコン１７０から信号処理部１１０の動作用の電力供給をＯＮにするための指示信号が再生部１３０に入力された場合に、その指示を信号処理部１１０に伝達して、信号処理部１１０の動作用の電力供給をＯＮにすることが可能となる。
【０００８】
また、信号処理部１１０及び再生部１３０の配置の自由度を高めるなどのために、ＨＤＭＩケーブル１５０を用いない構成にすることもできる。この場合、リモコン１７０から再生部１３０に入力された指示を、無線通信によって信号処理部１１０に送信することで、上記のＨＤＭＩケーブル１５０を用いた場合と同様の指示の伝達動作を行うことが可能となる。
【０００９】
具体的に例えば、再生部無線通信部１３３、再生部アンテナ１３２、信号処理部アンテナ１１６及び信号処理部無線通信部１１５を用いて、無線信号が送信される方向とは逆方向に信号を送信することで、指示の伝達を行う。特に、信号処理部１１０から再生部１３０に無線信号を送信する際に再生部１３０から信号処理部１１０に送信されるＡＣＫ（ACKnowledgement）信号や再送要求信号などを送信するための構成を利用することで、このような指示を再生部１３０から信号処理部１１０に送信することが可能となる。
【先行技術文献】
【特許文献】
【００１０】
【特許文献１】特開２００６−２５３８８２号公報
【発明の概要】
【発明が解決しようとする課題】
【００１１】
しかしながら、大容量となり得る再生データの無線通信に利用される信号処理部無線通信部１１５や再生部無線通信部１３３は消費電力が大きいため、通電して待機させておくだけで多大な電力を消費することが問題となる。特に、リモコン１７０によって再生部１３０だけでなく信号処理部１１０の動作用の電力供給の許否をも指示可能とする場合、信号処理部１１０及び再生部１３０の動作用の電力供給をＯＦＦにしたとしても、信号処理部無線通信部１１５及び再生部無線通信部１３３に通電して待機させておく必要が生じ、無用に電力を消費するため問題となる。
【００１２】
一方、信号処理部１１０の動作用の電力供給の許否を電力供給操作部１１８（例えば、操作用のボタンやキーなど）によってのみ行うこととし、リモコン１７０で操作できないように構成すれば、上記の問題は生じない。しかしながら、このような構成にすると再生装置１００の操作性が著しく悪化する。
【００１３】
そこで本発明は、操作性良くかつ消費電力の低減化を図った再生装置を提供することを目的とする。
【課題を解決するための手段】
【００１４】
上記目的を達成するために本発明の再生装置は、再生データを生成する信号処理部と、前記再生データを再生する再生部と、を備える再生装置において、前記信号処理部から前記再生部に前記再生データを含む無線信号を無線送信する第１無線通信部と、前記再生部及び前記信号処理部の一方から他方へ制御信号を無線送信する第２無線通信部と、を備え、前記再生部または前記信号処理部が、受信した前記制御信号に基づいて動作することを特徴とする。
【００１５】
なお、以下の実施形態では、第１無線通信部の一例として信号処理部無線処理部、信号処理部アンテナ、再生部アンテナ及び再生部無線通信部を挙げ、第２無線通信部の一例としてロケータ信号変調部、ロケータ信号送信アンテナ、ロケータ信号受信アンテナ及びロケータ信号復調部を挙げ、制御信号の一例としてロケータ信号を挙げて、それぞれ説明している。
【００１６】
また、上記構成の再生装置において、前記信号処理部及び前記再生部の少なくとも一方の動作を指示する指示信号を無線送信する指示送信部をさらに備え、前記再生部が、前記指示送信部から無線送信される前記指示信号を受信する受信部を備え、前記第２無線通信部が、前記再生部から前記信号処理部に前記制御信号を無線送信するものであり、前記信号処理部が、受信した前記制御信号に基づいて動作することとしても構わない。
【００１７】
このように構成すると、信号処理部及び再生部に対する指示信号を送信可能な共通の指示送信部を備えるとともに、再生部に指示信号を受信する受信部を備えるだけで、再生部及び信号処理部の動作を制御することが可能となる。そのため、再生装置の操作性を向上させることが可能となる。なお、以下の実施形態では、指示送信部の一例としてリモコンを挙げて説明している。
【００１８】
また、上記構成の再生装置において、前記再生部が、前記指示信号に基づいて動作用の電力供給の許否を制御し、前記信号処理部が、前記制御信号に基づいて動作用の電力供給の許否を制御することとしても構わない。
【００１９】
このように構成すると、再生部及び信号処理部の動作用の電力供給の許否を、指示信号及び制御信号によって制御することが可能となる。そのため、受信部及び第２無線通信部に通電して待機させておくだけで、動作用の電力供給の許否を制御可能とすることが可能となる。したがって、動作用の電力供給がされていない場合に、第１無線通信部に通電しない構成とすることが可能となる。
【００２０】
また、上記構成の再生装置において、前記指示送信部が、所定のパターンとなる前記制御信号を受信して報知動作を行う報知部を備えることとしても構わない。
【００２１】
このように構成すると、制御信号を、信号処理部の動作制御だけでなく、指示送信部の報知動作（指示送信部の紛失対策動作）にも利用することが可能となる。なお反対に、信号処理部に制御信号を受信する構成を追加するだけで、報知動作に用いられる制御信号を利用して、大幅な設計変更を伴うことなく信号処理部の動作制御を行うことが可能となる。
【００２２】
また、上記構成の再生装置において、前記第２無線通信部が通信不能となるときに、前記再生部が所定の再生動作を行うこととしても構わない。
【００２３】
このように構成すると、第２無線通信部の通信障害に起因して信号処理部の動作用の電力供給をＯＮにすることができない場合に、ユーザに対して異常を報知して、手動で信号処理部の動作用の電力供給をＯＮにするように訴えることが可能となる。
【００２４】
また、上記構成の再生装置において、前記再生部が、前記第２無線通信部を介して前記信号処理部に前記制御信号を送信した後、所定の時間が経過する前に前記信号処理部から前記第１無線通信部を介して所定の信号を受信できなかった場合に、前記第２無線通信部が通信不能であると判断することとしても構わない。
【００２５】
このように構成すると、効果的に第２無線通信部の通信障害を検出することが可能となる。
【発明の効果】
【００２６】
本発明によると、再生データの送信に用いる第１無線通信部とは異なる、第２無線通信部を用いて制御信号を送信することとなる。そのため、再生部及び信号処理部の動作制御を行うために、消費電力が大きなものと成り得る第１無線通信部に通電して待機させておく必要を無くすことが可能となる。したがって、低消費電力化を図ることが可能となる。
【図面の簡単な説明】
【００２７】
【図１】は、本発明の実施形態に係る再生装置の構成について示すブロック図である。
【図２】は、本発明の実施形態に係る再生装置の起動時の動作について示すフローチャートであり、再生部の動作について示すものである。
【図３】は、本発明の実施形態に係る再生装置の起動時の動作について示すフローチャートであり、信号処理部の動作について示すものである。
【図４】は、信号処理部の動作用の電力供給をＯＮにするためのロケータ信号のパターンの一例を示すタイミング図である。
【図５】は、信号処理部の動作用の電力供給をＯＦＦにするためのロケータ信号のパターンの一例を示すタイミング図である。
【図６】は、リモコンに報知動作を行わせるためのロケータ信号のパターンの一例を示すタイミング図である。
【図７】は、従来の再生装置の構成について示すブロック図である。
【発明を実施するための形態】
【００２８】
最初に、本発明の実施形態に係る再生装置の構成及び各部の動作について図１を参照して説明する。図１は、本発明の実施形態に係る再生装置の構成について示すブロック図である。
【００２９】
＜再生装置の構成＞
図１に示すように、再生装置１は、放送信号を受信して再生データを生成して送信する信号処理部１０と、再生データを受信して再生する再生部３０と、信号処理部１０と再生部３０とを接続するＨＤＭＩケーブル５０と、再生部３０に指示信号を入力するリモコン７０と、を備える。
【００３０】
信号処理部１０は、放送信号を受信する放送受信アンテナ１１と、放送受信アンテナ１１で受信された放送信号の選局や周波数変換などを行うチューナ１２と、チューナ１２で得られる信号を復調及び復号化して再生データを生成するデコーダ１３と、デコーダ１３で生成される再生データをＨＤＭＩケーブル５０を介して再生部３０に送信するＨＤＭＩ送信部１４と、デコーダ１３で生成される再生データを符号化及び変調して無線信号を生成する信号処理部無線通信部１５と、信号処理部無線通信部１５で生成される無線信号を送信する信号処理部アンテナ１６と、信号処理部１０の動作を制御する信号処理部制御部１７と、信号処理部１０の動作用の電力供給の許否（ＯＮまたはＯＦＦ）についてのユーザの指示が入力される電力供給操作部１８と、信号処理部制御部１７に制御されて信号処理部１０の動作用の電力供給を行う信号処理部電力供給部１９と、を備える。
【００３１】
また、信号処理部１０はさらに、信号処理部制御部１７に制御されて信号処理部電力供給部１９が供給する動作用の電力を信号処理部無線通信部１５に通じるか否かを切り替える信号処理部通電切替部２０と、再生部３０から送信されるロケータ信号を受信するロケータ信号受信アンテナ２１と、ロケータ信号受信アンテナ２１で受信されたロケータ信号を復調して信号処理部制御部１７に入力するロケータ信号復調部２２と、を備える。
【００３２】
また、再生部３０は、ＨＤＭＩケーブル５０を介して送信された再生データを受信するＨＤＭＩ受信部３１と、信号処理部アンテナ１６から送信される無線信号を受信する再生部アンテナ３２と、再生部アンテナ３２で受信した無線信号を復調及び復号化して再生データを生成する再生部無線通信部３３と、再生部３０の動作を制御する再生部制御部３４と、再生部制御部３４に制御されるとともにＨＤＭＩ受信部３１及び再生部無線通信部３３のいずれかから出力される再生データを選択して出力するセレクタ３５と、再生部制御部３４の指示に基づいてＯＳＤデータを生成するＯＳＤデータ生成部３６と、セレクタ３５から出力される再生データに含まれる映像データの大きさを調整したりＯＳＤデータ生成部３６から出力されるＯＳＤデータを映像データに重畳したりする表示調整部３７と、表示調整部３７から出力される映像データを表示する表示パネル３８と、リモコン７０が出力する指示信号を受信して再生部制御部３４に出力するリモコン受信部３９と、再生部制御部３４に制御されて再生部３０の動作用の電力供給を行う再生部電力供給部４０と、を備える。
【００３３】
また、再生部３０はさらに、再生部制御部３４に制御されて再生部電力供給部４０が供給する動作用の電力を再生部無線通信部３３に通じるか否かを切り替える再生部通電切替部４１と、再生部制御部３４から出力される信号に基づいてロケータ信号を生成するロケータ信号変調部４２と、ロケータ信号変調部４２で生成されるロケータ信号を送信するロケータ信号送信アンテナ４３と、再生部制御部３４に制御されて時間を計測するタイマ４４と、リモコン７０の報知動作の要否についてのユーザの指示が入力されるロケータ動作指示部４５と、を備える。
【００３４】
また、リモコン７０は、ロケータ信号を受信して報知動作を行う報知部７１を備える。
【００３５】
なお、リモコン７０から出力される指示信号が赤外線であり、リモコン受信部３９が赤外線の受光素子を備えることとしても構わない。また、再生部３０が、再生データに含まれる音声データを再生する構成（例えば、スピーカなど）を備えることとしても構わない。
【００３６】
＜再生装置の再生動作時の各部の動作＞
次に、図１に示した再生装置１の各部の動作について説明する。最初に、再生装置１の信号処理部１０及び再生部３０の動作用の電力供給がともにＯＮであり、再生装置１が再生データの再生動作を行う場合の各部の動作について説明する。
【００３７】
再生装置１は、まず、信号処理部１０の放送受信アンテナ１１において、放送信号を受信する。放送受信アンテナ１１で受信される放送信号は、チューナ１２において所定の周波数成分が選択的に取得されるとともに周波数変換（ダウンコンバート）が行われ、デコーダ１３に入力される。デコーダ１３は、チューナ１２から入力される信号を復調するとともに復号化し、再生データを生成する。なお、ここでは放送信号を受信して再生データを生成する構成について例示しているが、この構成に加えて（または代えて）、ネットワークや記録媒体などの他の手段を用いて再生データを取得する構成を備えることとしても構わない。
【００３８】
デコーダ１３によって生成される再生データは、ＨＤＭＩケーブル５０及び無線通信のいずれかによって、信号処理部１０から再生部３０へと送信される。
【００３９】
ＨＤＭＩケーブル５０によって再生データが送信される場合、再生データは、ＨＤＭＩ送信部１４からＨＤＭＩケーブル５０を介して再生部３０へと送信され、ＨＤＭＩ受信部３１で受信される。一方、無線通信によって再生データが送信される場合、まず、再生データは信号処理部無線通信部１５において符号化及び変調され、無線信号が生成される。生成される無線信号は、信号処理部アンテナ１６から再生部３０へと送信され、再生部アンテナ３２で受信される。そして、受信された無線信号が再生部無線通信部３３において復調及び復号化されることで、再生データが生成される。
【００４０】
セレクタ３５は、ＨＤＭＩ受信部３１または再生部無線通信部３３から選択的に再生データを取得し、出力する。セレクタ３５による再生データの取得先の切り替えは、再生部制御部３４によって行われる。例えば、再生部制御部３４が、現在設定されている再生データの送信モード（ＨＤＭＩケーブルモードまたは無線通信モード）を確認することで、セレクタ３５の切替制御を行う。
【００４１】
セレクタ３５から出力される再生データに含まれる映像データは、表示調整部３７に入力される。表示調整部３７は、入力される映像データに対して、画素の補間処理や加算処理、間引処理などを行い、表示パネル３８で表示可能な大きさに変換（スケーリング）する。また、表示調整部３７は、ＯＳＤデータ生成部３６からＯＳＤデータが入力される場合、スケーリングした映像データにＯＳＤデータを重畳させる処理を行う。そして、表示パネル３８は、表示調整部３７から入力される映像データを表示する。
【００４２】
＜再生装置の起動時の各部の動作＞
次に、再生装置１の信号処理部１０及び再生部３０の動作用の電力供給がともにＯＦＦからＯＮになり再生装置１が再生動作を実行可能な状態になるまでの、起動時における各部の動作について、図面を参照して説明する。図２及び図３は、本発明の実施形態に係る再生装置の起動時の動作について示すフローチャートである。なお、図２は再生部３０の動作を示したものであり、図３は信号処理部１０の動作を示したものである。また、リモコン７０からの指示信号の出力を起点として起動する場合について説明する。
【００４３】
まず、図２に示すように、ユーザが操作するリモコン７０から、再生装置１を起動する指示信号（信号処理部１０及び再生部３０の動作用の電力供給をＯＮにして、再生データの生成及び送信と再生動作とを実行可能な状態にするための指示信号）が再生部３０に対して出力されると（ＳＴＥＰ１）、再生部３０のリモコン受信部３９がこの指示信号を受信し（ＳＴＥＰ２）、再生部制御部３４に伝達する。このとき、再生部３０の各部に動作用の電力を供給する再生部電力供給部４０はＯＦＦになっているが、少なくとも再生部制御部３４、リモコン受信部３９及びロケータ信号変調部４２には電力が供給されており、動作可能な状態になっている。
【００４４】
再生部制御部３４は、リモコン受信部３９に上記の指示信号が入力されたことを確認すると、次に、再生データの送信モードがＨＤＭＩケーブルモードであるか否かを確認する（ＳＴＥＰ３）。
【００４５】
ＨＤＭＩケーブルモードである場合（ＳＴＥＰ３、ＹＥＳ）、再生部制御部３４は、ＨＤＭＩ受信部３１から再生データを取得するようにセレクタ３５を切替制御をして（ＳＴＥＰ４）、再生部電力供給部４０による動作用の電力供給をＯＮにする（ＳＴＥＰ５）。さらに、信号処理部１０の動作用の電力供給をＯＮにする旨を示す起動用のＣＥＣ信号を、ＨＤＭＩケーブル５０を介して信号処理部１０に送信する（ＳＴＥＰ６）。そして、ＨＤＭＩケーブル５０により送信される再生データを受信可能な状態として（ＳＴＥＰ７）、再生部３０の起動時の動作を終了する。
【００４６】
また、図３に示すように、信号処理部１０は、ＳＴＥＰ６（図２参照）で送信された起動用のＣＥＣ信号を信号処理部制御部１７が受信することで（ＳＴＥＰ２０、ＹＥＳ）、起動時の動作を開始する。このとき、再生部３０と同様に、信号処理部３０の各部に動作用の電力を供給する信号処理部電力供給部１９はＯＦＦになっているが、少なくとも信号処理部制御部１９及びロケータ信号復調部２２には電力が供給されており、動作可能な状態になっている。
【００４７】
信号処理部制御部１７は、ＳＴＥＰ２０で上記の起動用のＣＥＣ信号の受信を確認すると、信号処理部電力供給部１９による動作用の電力供給をＯＮにするとともに（ＳＴＥＰ２１）、ＨＤＭＩケーブル５０により再生データを送信可能な状態にして（ＳＴＥＰ２２）、信号処理部１０の起動時の動作を終了する。
【００４８】
一方、図２のＳＴＥＰ３において、ＨＤＭＩケーブルモードでなく無線通信モードである場合（ＳＴＥＰ３、ＮＯ）、再生部制御部３４は、再生部無線通信部３３から再生データを取得するようにセレクタ３５を切替制御して（ＳＴＥＰ８）、再生部電力供給部４０による動作用の電力供給をＯＮにする（ＳＴＥＰ９）。さらに、信号処理部１０の動作用の電力供給をＯＮにするためのロケータ信号をロケータ信号送信アンテナ４３から送信させるべく（ＳＴＥＰ１０）、ロケータ信号変調部４２に所定の信号を入力する。
【００４９】
ここで、信号処理部１０の動作用の電力供給をＯＮにするためのロケータ信号のパターンの一例について、図４を参照して説明する。図４は、信号処理部の動作用の電力供給をＯＮにするためのロケータ信号のパターンの一例を示すタイミング図である。なお、図４では、１０ｍｓのパルス状の信号が３回送信されて、それぞれの間が２０ｍｓの停止期間となるパターンを例示している。
【００５０】
また、再生部制御部３４は、再生部無線通信部３３に動作用の電力を供給するために、再生部通電切替部４１を切替制御する（ＳＴＥＰ１１）。そして、タイマ４４を動作させ、時間の計測を開始する（ＳＴＥＰ１２）。
【００５１】
また、図３に示すように、信号処理部１０は、ＳＴＥＰ１０（図２参照）で送信されたロケータ信号がロケータ信号受信アンテナ２１を介して受信されたことを、ロケータ信号復調部２２が信号処理部制御部１７に伝達することで（ＳＴＥＰ２０、ＮＯ及びＳＴＥＰ２３、ＹＥＳ）、起動時の動作を開始する。このとき、上述したように少なくとも信号処理部制御部１９及びロケータ信号復調部２２には電力が供給されており、動作可能な状態になっている。
【００５２】
信号処理部制御部１７は、ＳＴＥＰ２３で上記のロケータ信号の受信を確認すると、信号処理部電力供給部１９をＯＮにするとともに（ＳＴＥＰ２４）、信号処理部無線通信部１５に動作用の電力を供給するために信号処理部通電切替部２０を切替制御する（ＳＴＥＰ２５）。また、信号処理部無線通信部１５を制御して信号処理部１０のＩＤコードを含ませた無線信号を生成し、信号処理部アンテナ１６を介して再生部３０へと送信する（ＳＴＥＰ２６）。
【００５３】
図２に示すように、再生部制御部３４は、ＳＴＥＰ２６（図３参照）で送信された無線信号が再生部アンテナ３２を介して受信され、再生部無線通信部３３が当該無線信号から正しいＩＤコード（例えば、事前に登録した信号処理部１０のＩＤコードと一致するＩＤコード）を取得したか否かを確認する（ＳＴＥＰ１３）。
【００５４】
無線信号が受信されるとともに正しいＩＤコードが取得されたことが確認されると（ＳＴＥＰ１３、ＹＥＳ）、再生部無線通信部３３が再生部３０のＩＤコードを含むＡＣＫ信号を生成し、再生部アンテナ３２を介して信号処理部１０に送信する（ＳＴＥＰ１４）。そして、無線通信により送信される再生データを受信可能な状態にして（ＳＴＥＰ１５）、再生部３０の起動時の動作を終了する。
【００５５】
また、図３に示すように、信号処理部制御部１７は、ＳＴＥＰ１４（図２参照）で送信されたＡＣＫ信号が信号処理部アンテナ１６を介して受信され、信号処理部無線通信部１５が当該ＡＣＫ信号から正しいＩＤコード（例えば、事前に登録した再生部３０のＩＤコードと一致するＩＤコード）を取得したか否かを確認する（ＳＴＥＰ２７）。ＡＣＫ信号が受信されるとともに正しいＩＤコードが取得されたことが確認されると（ＳＴＥＰ２７、ＹＥＳ）、無線通信により再生データを送信可能な状態として（ＳＴＥＰ２８）、信号処理部１０の起動時の動作を終了する。
【００５６】
一方、図２のＳＴＥＰ１３において、無線信号が受信されない、または、正しいＩＤコードが取得されず（ＳＴＥＰ１３、ＮＯ）、タイマ４４の計測時間が所定の時間を越えてタイムアウトする場合（ＳＴＥＰ１６、ＹＥＳ）、再生部制御部３４が、ＯＳＤデータ生成部３６に対してエラー表示用のＯＳＤデータを生成する旨の指示を入力して、表示パネル３８にエラー表示をする（ＳＴＥＰ１７）。そして、再生部３０の起動時の動作を終了する。
【００５７】
なお、ＳＴＥＰ１７でエラー表示をする際に、電力供給操作部１８を操作して信号処理部１０をＯＮにすることを促すメッセージを表示しても構わない。このように構成すると、ロケータ信号による通信障害に起因して信号処理部１０が起動できない状態になっている場合に、ユーザに対して手動で信号処理部１０の起動を行うように訴えることが可能となる。また、本例のようにユーザが手動で起動を行う場合であっても、図２のＳＴＥＰ１３や図３のＳＴＥＰ２７のようなＩＤコードの確認を行うこととしても構わない（図２のＳＴＥＰ１３〜１５、図３のＳＴＥＰ２６〜２８参照）。
【００５８】
また、上述の動作は再生装置１の起動時のものであるが、終了時（信号処理部１０及び再生部３０の動作用の電力供給をＯＮからＯＦＦにする）に同様の動作を行うこととしても構わない。具体的に例えば、リモコン７０から再生部３０に対して再生装置１をＯＦＦにする指示信号が入力される場合、ＨＤＭＩケーブルモードであれば、終了用のＣＥＣ信号によって信号処理部１０の動作用の電力供給をＯＦＦにする。一方、無線通信モードであれば、ロケータ信号によって信号処理部１０の動作用の電力供給をＯＦＦにする。
【００５９】
ただし、無線通信モードでロケータ信号により信号処理部１０をＯＦＦにする場合、ロケータ信号のパターンを、図４に示した信号処理部の動作用の電力供給をＯＮにするためのパターンと異なるものにすると好ましい。パターンの具体例について、図５を参照して説明する。図５は、信号処理部の動作用の電力供給をＯＦＦにするためのロケータ信号のパターンの一例を示すタイミング図である。なお、図５では、８０ｍｓの信号が２回送信されて、その間が２０ｍｓの停止期間となるパターンを例示している。
【００６０】
＜リモコンの報知動作時の各部の動作＞
次に、リモコン７０が報知動作を行う場合の各部の動作について説明する。リモコン７０による報知動作とは、ユーザがリモコン７０を紛失した場合などに実行され得る動作であり、例えばリモコン７０が音や振動、光などを発することによって、リモコン７０の居場所をユーザに報知する動作である。なお、上述の説明では、信号処理部１０のＯＮやＯＦＦの制御にロケータ信号を利用する構成について示しているが、ロケータ信号の本来的な用途が、リモコン７０に報知動作を行わせるものであっても構わない。
【００６１】
リモコン７０に報知動作を行わせる旨の指示が、ユーザによってロケータ動作指示部４５に入力されると、ロケータ動作指示部４５はその旨を示す信号を再生部制御部３４に出力する。これにより、再生部制御部３４は、所定のパターンの信号をロケータ信号変調部４２に入力する。ロケータ信号変調部４２は、再生部制御部３４から入力される信号に基づいてロケータ信号を生成し、ロケータ信号送信アンテナ４３を介して送信する。リモコン７０の報知部７１は、送信されるロケータ信号を受信することによって報知動作を行う。
【００６２】
ただし、リモコン７０に報知動作を行わせるためのロケータ信号のパターンを、図４または図５に示した信号処理部１０の動作用の電力供給をＯＮまたはＯＦＦにするためのパターンと異なるものにすると好ましい。パターンの具体例について、図６を参照して説明する。図６は、リモコンに報知動作を行わせるためのロケータ信号のパターンの一例を示すタイミング図である。図６では、１０００ｍｓの間継続してロケータ信号が送信されるパターンについて例示している。
【００６３】
以上のように構成すると、リモコン受信部３９を再生部３０にのみ設け、信号処理部１０及び再生部３０に対する指示信号を送信可能な共通のリモコン７０を備える構成としても、ロケータ信号を利用することで、リモコン７０から再生部３０に入力される指示信号の内容を信号処理部１０に伝達して信号処理部１０を動作させることが可能となる。
【００６４】
特に、信号処理部１０の動作用の電力供給がＯＦＦであるときに、リモコン７０から信号処理部１０の動作用の電力供給をＯＮにする旨の指示信号が再生部３０に入力される場合に備えて信号処理部無線通信部１５及び再生部無線通信部３３に常時動作用の電力を供給する必要を、無くすことができる。そのため、再生装置１の消費電力を抑制することが可能となる。
【００６５】
さらに、リモコン７０の報知動作に用いられるロケータ信号を利用して、信号処理部１０の動作制御を行うことが可能となるため、信号処理部１０にロケータ信号を受信する構成を追加するだけで、大幅な設計変更を伴うことなく容易に上記の再生装置１の構成を実現することが可能となる。
【００６６】
＜変形例＞
なお、上述した説明では、リモコン受信部３９を再生部３０に設け、ロケータ信号が再生部３０から信号処理部１０に送信される構成としたが、逆の構成としても構わない。即ち、信号処理部１０にリモコン受信部３９を設け、信号処理部１０から再生部３０にロケータ信号が送信される構成としても構わない。この場合、再生部３０が、受信するロケータ信号に基づいた動作を行うこととする。
【００６７】
また、ロケータ信号をＦＭ（Frequency Modulation）信号として、ロケータ信号変調部４２がＦＭ変調回路を備え、ロケータ信号復調部２２及び報知部７１がＦＭ復調回路を備えることとしても構わない。このように構成すると、回路構成の簡略化や低消費電力化を図ることが可能となる。なお、簡易的であり低消費電力化が見込める構成であれば、他の構成（例えば、ＡＭ（Amplitude Modulation）信号を利用する構成）としても構わない。また、図４〜図６では、送信期間に一定の信号が送信されるように記載したが、異なる信号（周波数や振幅など）が送信されることとしても構わない。また例えば、送信期間と停止期間とで異なる信号が出力されるように構成しても構わない。
【００６８】
また、無線信号をＯＦＤＭ（Orthogonal Frequency Division Multiplexing）信号としても構わない。このように構成すると、動画などの大容量となる再生データを効率よく安定して送信することが可能となる。なお、大容量のデータを送信できる信号形式であれば、他の信号形式であっても構わない。
【００６９】
また、本発明の実施形態における再生装置１に備えられる信号処理部制御部１７や再生部制御部３４などの動作を、マイコンやサブマイコン（補助的な制御を行うマイコン）などの制御装置が行うこととしても構わない。さらに、このような制御装置によって実現される機能の全部または一部をプログラムとして記述し、当該プログラムをプログラム実行装置（例えばコンピュータ）上で実行することによって、その機能の全部または一部を実現するようにしても構わない。
【００７０】
また、上述した場合に限らず、図１の再生装置１は、ハードウェア、あるいは、ハードウェア及びソフトウェアの組み合わせによって実現可能である。また、ソフトウェアを用いて再生装置１の一部を構成する場合、ソフトウェアによって実現される部位についてのブロック図は、その部位の機能ブロック図を表すこととする。
【００７１】
以上、本発明の実施形態についてそれぞれ説明したが、本発明の範囲はこれに限定されるものではなく、発明の主旨を逸脱しない範囲で種々の変更を加えて実行することができる。
【産業上の利用可能性】
【００７２】
本発明は、放送信号を受信するなどして再生データを生成し送信するＳＴＢに代表される信号処理部と、再生データを受信して再生するディスプレイ装置に代表される再生部とを備えた再生装置に関する。
【符号の説明】
【００７３】
１    再生装置
１０  信号処理部
１１  放送受信アンテナ
１２  チューナ
１３  デコーダ
１４  ＨＤＭＩ送信部
１５  信号処理部無線通信部
１６  信号処理部アンテナ
１７  信号処理部制御部
１８  電力供給操作部
１９  信号処理部電力供給部
２０  信号処理部通電切替部
２１  ロケータ信号受信アンテナ
２２  ロケータ信号復調部
３０  再生部
３１  ＨＤＭＩ受信部
３２  再生部アンテナ
３３  再生部無線通信部
３４  再生部制御部
３５  セレクタ
３６  ＯＳＤデータ生成部
３７  表示調整部
３８  表示パネル
３９  リモコン受信部
４０  再生部電力供給部
４１  再生部通電切替部
４２  ロケータ信号変調部
４３  ロケータ信号送信アンテナ
４４  タイマ
５０  ＨＤＭＩケーブル
７０  リモコン
７１  ロケータ信号受信処理部
【図１】
2010263459.tif 000003
【図２】
2010263459.tif 000004
【図３】
2010263459.tif 000005
【図４】
2010263459.tif 000006
【図５】
2010263459.tif 000007
【図６】
2010263459.tif 000008
【図７】
2010263459.tif 000009